(57)【要約】【課題】時計の利用者の都市から世界の各都市の時刻を容易に知ることができる時計を提供する。【解決手段】時針５と分針７と時刻を示す文字盤１１とをケース３内に備えてなる時計であって、前記時針５及び分針７の回転に拘りなく回転自在な時計リング１９を前記文字盤１１の外側において前記ケース３に備え、この時計リング１９の表面に、一本の帯が２周する形態の螺旋状の意匠２５があり、上記螺旋状の意匠２５の中央部に世界標準時を示す記号が付してあると共に、上記中央部から内側となる内側リング部分２９及び外側となる外側リング部分３１の端部は前記中央部の内側，外側に互いに離してあり、かつ前記内側リング部分２９及び外側リング部分３１に、前記中央部からの時差に対応して世界の都市を示す記号が付してあり、前記時計リング１７の外周に凹凸部２１が形成してある。  【選択図】図１
2005214725.tif 000002
【特許請求の範囲】
【請求項１】
時針と分針と時刻を示す文字盤とをケース内に備えてなる時計であって、前記時針及び分針の回転に拘りなく回転自在な時計リングを前記文字盤の外側において前記ケースに備え、この時計リングの表面に、一本の帯が２周する形態の螺旋状の意匠があり、上記螺旋状の意匠の中央部に世界標準時の地名を示す記号が付してあると共に、上記中央部から内側となる内側リング部分及び外側となる外側リング部分の端部は前記中央部の内側，外側に互いに離してあり、かつ前記内側リング部分及び外側リング部分に、前記中央部からの時差に対応して世界の国又は都市を示す記号が付してあることを特徴とする時計。
【請求項２】
請求項１に記載の時計において、前記時計リングの外周に凹凸部が形成してあることを特徴とする時計。
【請求項３】
請求項１に記載の時計において、前記時計リングに、前記ケースに回転可能に備えた竜頭のピニオンに噛合したギアを備えていることを特徴とする時計。
【発明の詳細な説明】
【技術分野】
【０００１】
本発明は時計に係り、さらに詳細には、時計の使用者（利用者）が居る都市と異なる世界の各都市の時刻を容易に読み取ることができると共に、上記使用者が別の都市へ移動したときには、使用している時計の時刻をその都市の時刻にあわせるだけでよく、操作が容易かつ構成が簡単な時計に関する。
【背景技術】
【０００２】
時計の使用に際しては、時計の使用者が居る都市での時刻を知ることは勿論のこと、例えば国際電話をかけようとするようなときには、相手国の時刻を知りたいものである。ところで、仕事の関係によっては、各国，各都市の時刻を示す複数の時計を備えることもあるが、例えば腕時計の場合には複数の腕時計を腕にはめるには問題がある。
【０００３】
そこで、一つの時計でもって使用者の居る都市の時刻は勿論のこと、他国の所望の都市の時刻をも読み取ることのできる時計も開発されている。従来の構成としては、２４時間で１回転する針と世界の各都市を記入したリングとの組合せでもって２４時式で読み取る時計が多いが、１２時間式で読み取る時計も提案されている（例えば、特許文献１参照）。
【特許文献１】特許第３２６５４１５号公報
【発明の開示】
【発明が解決しようとする課題】
【０００４】
上記特許文献１に記載の時計は、通常の時計と同様に、１２時間で１周する時針と６０分で１周する分針とを備えると共に時刻を示す文字盤を備え、かつ上記文字盤の外側に、時針及び分針と同方向に１２時間で１周する二層の環状の東経西経表示部を備えた構成である。そして、上記東経西経表示部の二層の部分には、世界の各都市名が記載されている。
【０００５】
前記東経西経表示部は、駆動モータによって１２時間で１周される構成である。すなわち上記時計においては時針と東経西経表示部は常に一定の位置関係を維持して同期回転しているものである。したがって、東経西経表示部を時針や分針に拘りなく自由に回転することができないという問題がある。
【０００６】
また、前記構成においては、日付変更の部分において、二層の部分の内側から外側へ又は外側から内側へ移行する構成である。ところで、上記構成においては、右回りに辿って別の都市の時刻を読んだり、左回りに辿って別の都市の時刻を読むものであるから、右回りに辿って日付変更の部分を通過したり、左回りに辿って日付変更の部分を通過することがあるものであり、別の都市の時刻を読み取る場合に午前，午後や日付の読み誤りを生じ易いという問題がある。
【０００７】
さらに、前述したように、東経西経表示部を駆動モータにより１２時間で１周する構成であることにより、時計の使用者が別の都市へ移動したときには、時計の時刻をその都市に合わせると共に東経西経表示部も時針と一定の関係に調節しなければならないものであり、操作が厄介であると共に、構成が複雑であるという問題がある。
【課題を解決するための手段】
【０００８】
本発明は、前述のごとき従来の問題に鑑みてなされたもので、時針と分針と時刻を示す文字盤とをケース内に備えてなる時計であって、前記時針及び分針の回転に拘りなく回転自在な時計リングを前記文字盤の外側において前記ケースに備え、この時計リングの表面に、一本の帯が２周する形態の螺旋状の意匠があり、上記螺旋状の意匠の中央部に世界標準時の地名を示す記号が付してあると共に、上記中央部から内側となる内側リング部分及び外側となる外側リング部分の端部は前記中央部の内側，外側に互いに離してあり、かつ前記内側リング部分及び外側リング部分に、前記中央部からの時差に対応して世界の都市を示す記号が付してあることを特徴とするものである。
【０００９】
また、本発明は、上記時計において、前記時計リングの外周に凹凸部が形成してあることを特徴とするものである。
【００１０】
また、本発明は、上記時計において、前記時計リングに、前記ケースに回転可能に備えた竜頭のピニオンに噛合したギアを備えていることを特徴とするものである。
【発明の効果】
【００１１】
本発明によれば、時計リングが回転自在であるから、この時計リングを回転して、時計リングに記載されている利用者の都市を時計の現時刻を示す位置に合わせることにより、他の世界の都市の現時刻を知ることができる。そして、前記時計リングは一本の帯が２周するように螺旋形状をなすものであるから、目的とする都市に辿るには、右回り又は左回りに一本の前記螺旋を辿ることになり、目的とする都市の現時刻及び午前，午後等を容易に知ることができるものである。
【発明を実施するための最良の形態】
【００１２】
図１を参照するに、本発明の第１の実施形態に係る時計１は、通常の腕時計と同様に、ケース３を備えており、このケース３内には、１２時間で１周する時針５が備えられていると共に６０分で１周する分針７を備えている。また、前記時計１は、１分で１周する秒針９を備えていると共に時刻を示す文字盤１１を備えている。さらに前記時計１は、前記時針５及び分針７を操作するための竜頭１３を備えている。
【００１３】
前記時針５，分針７及び秒針９は、前記ケース３内に内装した駆動装置によって回転駆動されるものである。時計において、時針５，分針７及び秒針９を回転駆動するための駆動装置の構成は既に良く知られた構成であるから、前記駆動装置の構成についての詳細な図示及び説明は省略する。
【００１４】
前記時計１の前記ケース３には、前記時針５，分針７等を覆う円盤状の透明なカバー１５が設けられている。そして、上記カバー１５の外周部には、前記時針５，分針７の回転に拘りなく時計回り方向又は反時計回り方向の所望方向へ回転自在な回転リング１７が設けられており、この回転リング１７には時計リング１９が一体的に設けられている。
【００１５】
前記回転リング１７と時計リング１９は一体的であるから、両方を合わせて時計リングと見ることもできる。前記回転リング１７の外周部には、回転リング１７を回転するときの滑り止め機能を有する凹凸部２１が形成してある。前記時計リング１９は、前記文字盤１１に記載されている１時〜１２時の時刻表示部２３の外側において回転自在に設けられているものである。
【００１６】
そして、前記時計リング１９の表面には１本の帯が２周する形態の螺旋状の意匠２５が施されており、この螺旋状の意匠２５の傾斜した中央部付近には世界標準時の地名を示す記号２７が記載されている。この中央部から時計回り方向の螺旋部（図１においては内側リング部分が相当する）２９の端部２９Ｅは前記中央部付近において終わっており、前記中央部から反時計回り方向の螺旋部（図１においては外側リング部分が相当する）３１の端部３１Ｅは前記中央部付近において終わっている。すなわち、前記螺旋状の意匠２５を辿ると、それぞれの端部２９Ｅ，３１Ｅにおいて行き止まりになっている。
【００１７】
そして、前記内側リング部分２９には、前記中央部から端部２９Ｅまでを東経１８０°とした場合、東経位置の時差に対応して世界の主たる都市又は国を示す記号が付されている。同様に、前記外側リング部分３１には、前記中央部から端部３１Ｅまでを西経１８０°とした場合、西経位置の時差に対応して世界の主たる都市又国を示す記号が付されている。
【００１８】
以上のごとき構成において、図１に示すように、時計の針が約１０時９分を示しているとき、時計の利用者が、例えば東京に居てパリの時間を知りたい場合には、前記回転リング１７を回転して、東京を示す記号Ｔを１０時の位置に合わせると、パリを示す記号Ｐは２時の位置に合うことになる。なお、分は同じであるから、パリの時刻は２時９分となる。ここで、東京を示す記号Ｔの位置から螺旋状の意匠２５の内側リング部分２９を時計回り方向に辿ると、端部２９Ｅに当って行き止まりとなるので、前記記号Ｔの位置から反時計回り方向にパリを示す記号Ｐの位置に螺旋状の意匠２５を辿って行くことになる。
【００１９】
この場合、反時計回り方向に上記意匠２５を辿ることになるので、時間が戻るように換算することになる。したがって、例えば東京で午前１０時のときには、パリでは午前２時であることが分かる。ところで、例えばホノルルを示す記号Ｈの位置は３時であることが分かるが、現地では午前か午後であるかは、一見しては分からない。しかし、東京を示す記号Ｔの位置から記号Ｈの位置に前記意匠２５を辿って行くには、螺旋を反時計回り方向に辿り、１２時の目盛付近において前記中央部を越えることになる。すなわち１２時の目盛を越えることにより、時計利用者の位置の午前，午後と反転するので、東京を示す記号Ｔの位置が午前１０時であるなら、ホノルルを示す記号Ｈの位置は前日の午後３時であると知ることができるものである。
【００２０】
ここで、例えばパリを示す記号Ｐの位置が１０時の場合、東京を示す記号Ｔの位置が何時になるかを知りたい場合には、前記回転リング１７を回転して記号Ｐの位置を１０時の位置に合わせると、記号Ｔの位置は６時を示す位置になる。そして、この場合には、記号Ｐの位置から螺旋状の意匠２５を時計回り方向に辿って記号Ｔの位置に至るものであるから、時間を進めるように換算することになる。
【００２１】
したがって、記号Ｐの位置が午前１０時である場合には、記号Ｔの位置では午後６時であることが分かる。また、ホノルルを示す記号Ｈの位置を１０時の位置に合わせると、東京を示す記号Ｔの位置は５時を示す位置になる。そして、記号Ｈの位置から記号Ｔの位置へは、螺旋状の意匠２５上を時計回り方向に辿り、かつ前記１２時の目盛を越えるので、午前，午後が反転することになる。よって、記号Ｈの位置が午前１０時である場合には、記号Ｔの位置では、午後５時であると知ることができるものである。
【００２２】
既に理解されるように、時計１によれば、時計利用者の国又は都市において世界の別の国又は都市の現時刻を容易に知ることができる。また、上記別の国又は都市の時刻をある時刻に仮定したとき、利用者の国又は都市においては何時になるかをも容易に知ることができるものである。そして、知りたい国又は都市の時刻を読むときには時計リング１７の螺旋状の意匠２５を時計回り方向又は反時計回り方向に辿る構成であり、かつ１２時の目盛を越えたときに、時計利用者の午前，午後に対して反転すれば良いものであり、知りたい国又は都市の午前，午後を読み誤るようなこともないものである。
【００２３】
ところで、前記時計リング１９は、前記回転リング１７に一体的に直接プリントすることが可能である。また、図３に示すように、薄いリング部材に螺旋状の意匠２５を施して時計リング１９を構成し、この時計リング１９を前記回転リング１７に一体的に固定することも可能である。
【００２４】
図４，図５は第２の実施形態に係る時計を示すもので、前述した時計１の構成要素と同一機能を奏する構成要素には同一符号を付することとして重複した説明は省略する。
【００２５】
この第２の実施形態においては、前記時計リング１９に相当する時計リング３３を前記カバー１５の内側に備えた構成であり、この時計リング３３のテーパ状の表示面３５に前記時計リング１９と同一の螺旋状の意匠２５が施してあるものである。そして、前記時計リング３３を回転するために、前記ケース３には竜頭３７が回転自在に設けられており、この竜頭３７の先端部に備えたピニオン３９は、前記時計リング３３の下面に備えたギア４１に噛合してある。
【００２６】
上記構成により、前記竜頭３７を回転することにより、前記時針５，分針７の回転に拘りなく前記時計リング３３を時計回り方向又は反時計回り方向に回転することができる。したがって、当該時計リング３３における螺旋状の意匠２５に記載されている国又は都市を示す記号を所望の時刻に合わせることができ、前述した時計と同様の効果を奏し得るものである。
【００２７】
図８，図９は、第３の実施形態を示すもので、前述した第１の実施形態の変更形態であるから、前述した構成要素と同一機能を奏する構成要素には同一符号を付することとして重複した説明は省略する。
【００２８】
この第３の実施形態においては、前記螺旋状の意匠２５における一本の帯状の両端部に、先端側が次第に細くなる先端側部分を追加した状態として螺旋状の意匠２５を施したものであるから、螺旋の一部は三重の構成であり、細い両端部付近においては四重の構成となっている。上記構成においては、螺旋状の意匠２５の中央部付近の傾斜が目立たなくなり、螺旋状の意匠２５は全体として流線形を呈することとなるものである。
【００２９】
なお、上記構成においても、内側リング部分及び外側リング部分の端部が中央部の内側、外側に互いに離した構成であり、前述した実施形態と同様の効果を奏し得るものである。
【００３０】
図１１，図１２は、第４の実施形態を示すもので、前述した第２の実施形態において、螺旋状の意匠２５を第３の実施形態と同様の意匠としたものであり、その他の構成は同一であるから、同一機能を奏する構成要素には同一符号を付することとして重複した説明は省略する。
【００３１】
この構成においても前述したごとき効果を奏し得るものである。
【図面の簡単な説明】
【００３２】
【図１】本発明の第１の実施形態に係る時計の主要部を示す正面説明図である。
【図２】図１におけるII−II線に沿って切断した端面説明図で、内部の駆動装置は省略してある。
【図３】時計リングを示すもので、（Ａ）は正面図、（Ｂ）は右側面図、（Ｃ）は底面図、（Ｄ）は断面図、（Ｅ）は背面図である。
【図４】本発明の第２の実施形態に係る時計の主要部を示す正面説明図である。
【図５】図４におけるＶ−Ｖ線に沿って切断した端面説明図で、内部の駆動装置は省略してある。
【図６】第２の実施形態に係る時計リングを示すもので、（Ａ）は平面図、（Ｂ）は正面図、（Ｃ）は断面図である。
【図７】第２の実施形態の時計リングを示すもので、（Ａ）は右側面図、（Ｂ）は背面図である。
【図８】本発明の第３の実施形態に係る時計の主要部を示す正面説明図である。
【図９】図８におけるIX−IXに沿って切断した端面説明図で、内部の駆動装置は省略してある。
【図１０】第３の実施形態に係る時計リングを示すもので、（Ａ）は正面図、（Ｂ）は右側面図、（Ｃ）は底面図、（Ｄ）は断面図、（Ｅ）は背面図である。
【図１１】本発明の第４の実施形態に係る時計の主要部を示す正面説明図である。
【図１２】図１１におけるXII−XII線に沿って切断した端面図で、内部の駆動装置は省略してある。
【図１３】第４の実施形態に係る時計リングを示すもので、（Ａ）は平面図、（Ｂ）は正面図、（Ｃ）は断面図である。
【図１４】第４の実施形態の時計リングを示すもので、（Ａ）は右側面図、（Ｂ）は背面図である。
【符号の説明】
【００３３】
１    時計
３    ケース
５    時針
７    分針
１１    文字盤
１５    カバー
１７    回転リング
１９，３３    時計リング
２３    時刻表示部
２５    螺旋状の意匠
２７    世界標準時の地名を示す記号
２９    時計回り方向の螺旋部（内側リング部分）
３１    反時計回り方向の螺旋部（外側リング部分）
３７    竜頭
３９    ピニオン
４１    ギア
【図１】
2005214725.tif 000003
【図２】
2005214725.tif 000004
【図３】
2005214725.tif 000005
【図４】
2005214725.tif 000006
【図５】
2005214725.tif 000007
【図６】
2005214725.tif 000008
【図７】
2005214725.tif 000009
【図８】
2005214725.tif 000010
【図９】
2005214725.tif 000011
【図１０】
2005214725.tif 000012
【図１１】
2005214725.tif 000013
【図１２】
2005214725.tif 000014
【図１３】
2005214725.tif 000015
【図１４】
2005214725.tif 000016